(57)【要約】      （修正有）【課題】ロール紙管の開口端部を閉鎖するようにして管理用タグを着脱自在に強固に嵌着することによりロールに関する各種情報を端部側から正確に把握することができ、且つロール保管がランダムにできるので小面積ですみ効率良く、ロールを汚損することなく、また、タグ自体を紛失するおそれもないロール紙管端部の管理用タグを提供する。【解決手段】円形の底部とその周縁から立ち上げた筒状の側壁部６、該側壁部の開口部側端縁から外方へ突出した鍔部及び情報記入タグとよりなり、該底部に補強部、側壁部に突出係止部５を各々形成し、該情報記入タグは該側壁部で囲まれた開口部及び鍔部７全体を被覆し、該鍔部と貼着してロール紙管端部の管理用タグを構成する。【選択図】図３
0003151898.tif 000002
【実用新案登録請求の範囲】
【請求項１】
円形の底部とその周縁から立ち上げた筒状側壁部、該側壁部の開口部側端縁から外方へ突出した鍔部及び情報記入タグとよりなり、該底部に補強部、側壁部に突出係止部を各々形成し、該情報記入タグは該側壁部で囲まれた開口部及び鍔部全体を被覆し、該鍔部と貼着してなることを特徴とするロール紙管端部の管理用タグ。
【請求項２】
底部の補強部は、外形形状と相似する所定幅のある円形形状のいくつかの凹凸を交互に設けた凹凸部としたことを特徴とする請求項１記載のロール紙管端部の管理用タグ。
【請求項３】
筒状側壁部は、底部側から鍔部側へかけて外方へやや傾斜する周壁とし、該側壁部には円弧状の係止部先端側の長手方向が該鍔部に対して直交方向となるように係止部を突出するか或いは底部側を外方へやや大きく突出形成し、該係止部を適数個等間隔に配設してなることを特徴とする請求項１又は２記載のロール紙管端部の管理用タグ。
【請求項４】
係止部は、樋状の円弧状薄厚部材とし、その突出長は底部側から鍔部側にかけて漸次短くなる形状とした請求項１乃至３のいずれか記載のロール紙管端部の管理用タグ。
【請求項５】
鍔部は、側壁部の開口部側端縁から外方へ突出したドーナツ型形状とし、情報記入タグは、該開口部及び該鍔部全体を被覆し、且つ該鍔部外周縁より外方へ突出した大きさの円形形状としたことを特徴とする請求項１乃至４のいずれか記載のロール紙管端部の管理用タグ。
【考案の詳細な説明】
【技術分野】
【０００１】
本考案は、ロール紙管を芯材とし、ビニール、紙等の様々な材料をロール巻きした該ロール紙管の開口端部に嵌着されるもので、ロール巻きされた材料に係わる各種情報を記載した開口端部のキャップを兼ねた管理用タグに関するものである。
【背景技術】
【０００２】
各種様々な材料をロール紙管を芯材としてロール巻きされてロールとされたものは、保管或いは運搬や販売するに際し、その安定性や効率性を考慮し、該ロールの長手方向を前後方向とし、端部側が前面に現われるようにして左右・上下方向に並べて積層するか長手方向を横とし、前後・上下方向に並べて積層することが一般的である。
【０００３】
しかし、上記積層されたロールは、最上層或いは左右・前後の周端部に位置するものを除いて、当該ロール紙管にロール巻きされたロール材料がどのようなものなのかの情報を判断する手掛かりは、予めその積層場所を材料や他の様々な情報毎に区分けして管理するか或いは前面に現われるロール端縁から判断するしかなかった。前者にあっては、区分け管理するための大きなスペースを必要とし、後者にあっては、正確な様々なロール情報を得ることは困難であった。
【０００４】
また、各種情報を記入したラベルをロールの端部に貼着したり紐状のもので取り付けたもの或いはロール紙管の開口端部の管内にタグを固定したもの等が見受けられるが、前者のラベルにあっては、該ロール紙管の開口端部やロール材料の端部に糊等の接着剤により貼着されたり紐状のものはそれらと連結して取り付けされるので剥がれや脱落が生じ易く、且つ該ラベルへの接着剤がロール材料の端部側に付着したり、紐状物が切断されてラベルとともにロール内に紛れ込んでしまうおそれがあった。他方、後者のタグにあっては、上記同様、ロール紙管より脱落し易いし、目視しずらいという欠点があった。
【先行技術文献】
【特許文献】
【０００５】
【特許文献１】特開平８−２７６９５３号公報
【特許文献２】特開２００７−１４５５９３号公報
【考案の概要】
【考案が解決しようとする課題】
【０００６】
本考案は、上記欠点を解決したもので、ロール紙管の開口端部を閉鎖するようにして管理用タグを着脱自在に強固に嵌着することによりロールに関する各種情報を端部側から正確に把握することができ、且つロール保管がランダムにできるので小面積ですみ効率良く、ロールを汚損することなく、また、タグ自体を紛失するおそれもないロール紙管端部の管理用タグに関するものである。
【課題を解決するための手段】
【０００７】
本考案は、円形の底部とその周縁から立ち上げた筒状側壁部、該側壁部の開口部側端縁から外方へ突出した鍔部及び情報記入タグとよりなり、該底部に補強部、側壁部に突出係止部を各々形成し、該情報記入タグは該側壁部で囲まれた開口部及び鍔部全体を被覆し、該鍔部と貼着してなるロール紙管端部の管理用タグを特徴とする。
【０００８】
また、上記底部の補強部は、外形形状と相似する所定幅のある円形形状のいくつかの凹凸を交互に設けた凹凸部としたロール紙管端部の管理用タグを特徴とする。
【０００９】
更に、上記筒状側壁部は、底部側から鍔部側へかけて外方へやや傾斜する周壁とし、該側壁部には円弧状の係止部先端側の長手方向が該鍔部に対して直交方向となるように係止部を突出するか或いは底部側を外方へやや大きく突出形成し、該係止部を適数個等間隔に配設してなるロール紙管端部の管理用タグを特徴とする。
【００１０】
また、上記係止部は、樋状の円弧状薄厚部材とし、その突出長は底部側から鍔部側にかけて漸次短くなる形状としたロール紙管端部の管理用タグを特徴とする。
【００１１】
更に、上記鍔部は、側壁部の開口部側端縁から外方へ突出したドーナツ型形状とし、情報記入タグは、該開口部及び該鍔部全体を被覆し、且つ該鍔部外周縁より外方へ突出した大きさの円形形状としたロール紙管端部の管理用タグを特徴とする。
【考案の効果】
【００１２】
本考案のロール紙管端部の管理用タグは、ロール紙管の開口端部に強固に嵌着することができ、ロール巻きされたロールの各種情報を隠蔽されることのない目視し易いロールの端部側から把握することが可能となった。
【００１３】
また、本考案のロール紙管端部の管理用タグは、その底部に補強部となる凹凸を形成し、且つ側壁部に円弧状突起となる係止部を設けたので、弾発力が得られ、ロール紙管の開口端部に強固に嵌着することができ、衝撃があっても脱落することはない。
【００１４】
更に、鍔部に情報記入タグが貼着されるが、該情報記入タグは鍔部の形状より大きく形成しているので、貼着された該情報記入タグの周端部は該鍔部より外方へ突出した状態となっている。これによりロール紙管端部に嵌着された情報記入タグの周端部とロール巻きされた材料の端部との間に該鍔部の厚さ寸法だけ間隙が生じることとなり、周端部に指を掛け易く、強固に嵌着された該ロール紙管の開口端部から管理用タグを取り除くことが容易となり、その取り外しにより情報記入タグの反復使用が可能となった。
【００１５】
また、該ロール紙管の開口端部を隠蔽するキャップとしての機能もあり、当該箇所からゴミや虫類が入り込むことを防止することができる。
【図面の簡単な説明】
【００１６】
【図１】本考案のロール紙管端部の管理用タグをロール紙管端部に嵌着する前の状態の斜視図。
【図２】ロール巻きされたロールの積層状態を示す斜視図。
【図３】（ａ）本考案のロール紙管端部の管理用タグの正面図、（ｂ）同中央断面図。
【図４】情報記入タグの正面図。
【図５】ロール紙管端部に本考案のロール紙管端部の管理用タグを嵌着した状態を示す断面図。
【考案を実施するための形態】
【００１７】
以下、図面を参考に本考案の実施例を説明する。
【実施例１】
【００１８】
図１は、本考案のロール紙管端部の管理用タグ１をロール巻きされたロール２の芯材となるロール紙管３の開口端部に嵌着する前の状態を示した斜視図である。ロール２は、紙やビニール等の長尺の様々な材料をロール紙管３を芯材としてロール巻きしたものである。上記ロール巻きしたロール２は、図２に示すように、紙等に梱包され或いは露出した状態で保管や移動或いは販売のために左右・上下方向或いは前後・上下方向に積層されることになるが、様々な類似した多種類のロールが同一箇所に積層されることが多く、それらが積層されたロールは、その最外周部に露出するロールを除いて端部側のみが露出することになる。
【００１９】
梱包されていない該ロール２の端部には、ロール紙管３の端部及びロール巻きされた紙やビニール等のロール材料の端部のみが露出することになり、その露出した端部からロールの材質、その厚さ、幅、長さ、仕様、ロット数、製造元、製造年月日等の各種のロール情報を把握することは困難であった。せいぜい材質やその厚さ等が判断できる程度であった。
【００２０】
本実施例のロール紙管端部の管理用タグ１は、図３、５に示すように、ロール紙管３に嵌着する側の挿入部となる円形の底部４と該底部４の周縁から立ち上げた係止部５付筒状側壁部６と、該側壁部６の開口部側端縁から外方へ突出した鍔部７とをＰＥＴ（ポリエチレンテレフタレート）、ＰＶＣ（ポリ塩化ビニール）、ＰＳ（ポリスチレン）、ＰＰ（ポリプロピレン）、ＰＥ（ポリエチレン）等の材料で０．１〜２．０ｍｍ厚の硬質或いは半硬質の薄厚材料を使用して真空成形して製造したもの、又は、射出成形、ブロー成形で製造したものと、該鍔部７を覆い且つ開口部を閉鎖する円形の情報記入タグ８とよりなり、該情報記入タグ８は該鍔部７に貼着されている。
【００２１】
該ロール紙管３の両端は円形の開口端部９とされ、該開口端部９にロール紙管端部の管理用タグ１を嵌着することになる。該管理用タグ１の底部４は、その補強のため大小となる円形の凹凸部を形成している。凹部１０と凸部１１とを所定幅を有したドーナツ形状の相似した円形とし、交互に凹凸を形成している。これにより係止部５から内側への板面方向に底部４を押し潰す方向に力がかかっても該係止部５の潰れと該凹凸部１０、１１による力を側方へ逃がすことにより該底部４に大きな変形が生じることはなく、該管理用タグ１が脱落することを防止できる。
【００２２】
側壁部６は、ロール紙管３両端の円形の開口端部９に挿入される挿入部の深さ寸法を筒状体の立ち上げ寸法とし、該底部４側から鍔部７側にかけて垂直か或いは漸次外方へやや広がるように傾斜形成している。また、開口端部９との嵌着状態からの脱落を防止するため、円弧状の突起とした係止部５を該側壁部６の適数箇所に設けている。該係止部５は、断面円弧状の薄厚突出部とし、係止部５の底部４側は、図３（ａ）、（ｂ）で示すように、円弧長の長い突起とし、鍔部７側は円弧長の短い突起としている。従って、円弧の頂部は、該底部４から該鍔部７側に向けて該鍔部７に対して底部４側の突出を外方へやや大きく突出した直交方向か或いは直交方向に突出形成している。図３では６箇所に係止部５を設けているが、必要に応じて適宜個数が選定される。該係止部５は、薄厚となっているので、内側へ押し潰す方向の力が作用すると該円弧突起を変形させることによりその圧力を吸収することができる。
【００２３】
鍔部７は、側壁部６の開口部側端縁から適宜幅をもって該側壁部６に対して直交方向かほぼ直交方向となる外方へ突出形成したドーナツ型形状とし、該鍔部７には円形の情報記入タグ８を該側壁部６の開口部１２を隠蔽するようにして貼着する。該情報記入タグ８には、図４に示すように、例えば、ロール材料の材質、その厚さ、幅、長さ、仕様、ロット数、製造元、製造年月日等の各種情報が記入され、外部から可視確認できるようにされている。
【００２４】
図５は、上記ロール紙管端部の管理用タグ１をロール紙管３の開口端部９に嵌着した状態の断面図を示している。円弧状突起とした係止部５がロール紙管３の開口端部内壁に密着係止される。該ロール紙管端部の管理用タグ１は、上記係止部５や底部４の凹凸部１０、１１及び材料の弾発力もあり、該ロール紙管３の開口端部９に強固に嵌着されることになる。
【００２５】
該鍔部７には、情報記入タグ８が該鍔部７の外周縁より外方へ突出するようにして貼着されているので、該情報記入タグ８の周端部に指を掛け易く、該ロール紙管端部の管理用タグ１をロール紙管３の開口端部９より取り外し易い。
【００２６】
上記ロール紙管端部の管理用タグ１は、ロール巻きされたロールがそのいずれか一方端側を壁等に近接或いは当接して積層されることもあるので、該ロール紙管の両端部に同一のものを嵌着しておくと便利である。
【符号の説明】
【００２７】
１      ロール紙管端部の管理用タグ
２      ロール
３      ロール紙管
４      底部
５      係止部
６      側壁部
７      鍔部
８      情報記入タグ
９      開口端部
１０    凹部
１１    凸部
１２    開口部
【図１】
0003151898.tif 000003
【図２】
0003151898.tif 000004
【図３】
0003151898.tif 000005
【図４】
0003151898.tif 000006
【図５】
0003151898.tif 000007